(57)【要約】      （修正有）【課題】ごく軽量で構造が簡単であり、携帯が容易であって、携帯している限り、自己の動くだけの狭い範囲が確保されるならば、いつでも基本動作の練習ができ、小さくてもダイエットに偉力を発揮することができる自己姿勢のバランス検出計を提供する。【解決手段】カード状薄板１の一端部を銜え部９としてその先方の眼前視覚範囲に表面下に透視し得る埋蔵気泡管６を設け、この埋蔵気泡管は、カード状薄板の厚み内に形作った内空に青色に着色された液体および気泡の気体とを封入してなり、青色液体の中で水準器様に気泡を確認できるように気泡管が左右対称に形成されている。【選択図】図１
0003197224.tif 000002
【実用新案登録請求の範囲】
【請求項１】
カード状薄板の一端部を銜え部としてその先方の眼前視覚範囲に表面下に透視し得る埋蔵気泡管を設け、この埋蔵気泡管は、カード状薄板の厚み内に形作った内空に青色に着色された液体および気泡の気体とを封入してなり、該青色液体の中で水準器様に気泡を確認できるように該気泡管が左右対称に形成されていることを特徴とする自己姿勢のバランス検出計。
【考案の詳細な説明】
【技術分野】
【０００１】
この考案は、頭部を垂直、水平に保つバランスで体の軸を真っ直ぐに整えながら、これにより運動や動作の基本に要する体幹力を身につけるための自己姿勢のバランス検出計に関する。
【０００２】
即ち、ここにいう自己姿勢のバランス検出計とは、バランスを取ることを目的として身につけるもので、例えば、軸を中心とするゴルフのスイング練習動作、頭部を一定に保って水平・垂直の感覚を身に付ける踊りやダンスの動作、身体のネジレやヨジレ等を修正する自己整体動作、さらには頭部を一定に維持しながら美しく疲れない歩き方をするモデルのレッスン動作等の練習に使用するものである。
【背景技術】
【０００３】
スポーツ、舞踊、ウオーキングフアッションや、日常生活の何気ないしぐさにおいても、美しく疲れないような正しい動作には一定の法則があることが知られている。それは、身体の中心を貫くラインとしての中心軸を想定し、それを基準にして、垂直、水平に力や形等をバランス良く配分する能力としての体幹力である。従来は、先輩の指導を仰ぎ、あるいは鏡の前に立つ等して間違いを正すことでバランス配分能力を身につけていた。そして、このバランス配分能力若しくは正しい姿勢は、基礎代謝を高めて人を痩せ形体質に誘導することが分かっていた。 
【考案の概要】
【考案が解決しようとする課題】
【０００４】
しかしながら、従来は、痩せ形体質を身につける前提としての正しい姿勢の保持、つまりは体幹力の確保は、コーチとなる指導者の存在や大きな鏡等の設備を必要とし、環境的に必ずしも簡単には得られないという問題があった。
【０００５】
この考案は、上記のような実情に鑑みて、ごく軽量で構造が簡単であり、携帯が容易であって、携帯している限り、自己の動くだけの狭い範囲が確保されるならば、いつでも基本動作の練習ができ、小さくてもダイエットに偉力が発揮することになる自己姿勢のバランス検出計を提供することを課題とした。
【課題を解決するための手段】
【０００６】
上記の課題を解決するために、この考案は、カード状薄板の一端部を銜え部としてその先方の眼前視覚範囲に表面下に透視し得る埋蔵気泡管を設け、この埋蔵気泡管は、カード状薄板の厚み内に形作った内空に青色に着色された液体および気泡の気体とを封入してなり、該青色液体の中で水準器様に気泡を確認できるように該気泡管が左右対称に形成されていることを特徴とする自己姿勢のバランス検出計を提供する。
【０００７】
上記の構成によれば、そのバランス検出計を銜えて各種の動作を行う際に、気泡が液体の中央に位置するように注視しながら動作を調整する。これで各種運動や動作の基本を身につけ、同時にダイエットとなる。また、この際に、気泡は青色の中にあるため識別しやすいばかりか、青色の食欲抑制作用があることから、視覚による青色ダイエット効果も得られる。さらに、銜えることで唾液の分泌が促進されることによってもダイエット効果がある。ちなみに、ダイエット成功にはストレスを溜めこまないことが求められるが、これに関してはコルチゾールというホルモンが唾液により排出されることでストレスの減少がみられという。
【考案の効果】
【０００８】
以上説明したように、この考案の自己姿勢のバランス検出計によれば、カード状の物を銜えるだけで使用できるので、過大な設備を要しないことはもちろん、気泡の位置を確認して身体動作を調整しながら、体幹力としての正しい基本動作や姿勢を身につけることができ、正しい姿勢によるダイエット効果が得られるばかりでなく、「青色の視覚」と「銜えることよる唾液の分泌」とが相乗的に働いて、ダイエットに偉力が発揮されるという優れた効果がある。
【図面の簡単な説明】
【０００９】
【図１】この考案の実施例１として、液体の青色を梨地であらわして、自己姿勢のバランス検出計を使用要領において示す斜視図である。
【図２】図１のA―A線矢視の拡大断面図である。
【図３】同自己姿勢のバランス検出計を製造手順で示す分解斜視図である。
【図４】同製造方法で組み立てた自己姿勢のバランス検出計を一部切り欠いて液体の青色を梨地で示す平面図である。
【図５】この考案の自己姿勢のバランス検出計の使用状態の一例を示す斜視図である。
【考案を実施するための形態】
【００１０】
この考案の自己姿勢のバランス検出計は、健康的効果として大まかには、「体幹力」と「ダイエット」とに大別できるが相互に関連性もある。すなわち、ダイエット効果については、体幹力としての正しい姿勢で歩く等の運動中に、気泡のバランスを取りながら、「青色」を集中して見つめさせられる結果、その集中により体幹力のバランスを取りやすく、一方では、青色（可視放射線４３５〜４８０ｎｍ）の特性として、ダイエットに良好な「食欲抑制」と「沈静効果」とが得られる。また、「唾液の分泌」が加わってこれでもダイエット効果が大となる。
【００１１】
体幹力を養う姿勢や運動については、それぞれの種類により様々となるが、最も基本的な使用としては、口で銜えた状態で壁に尻と背中をつけ後頭部もつけながら、真ん中に気泡８がくるように視覚しつつ体全体を真っ直ぐに調整する。この時に、気泡管内の液体を青色で凝視することになるので、青色のダイエット効果が、また、検出計を銜えることで唾液の分泌によるダイエット効果が得られる。
【実施例１】
【００１２】
図１ないし図４は、一実施例を示し、その自己姿勢のバランス検出計Ｐは、広くスポーツの基本姿勢に、例えばゴルフのスイングの練習用に適するよう軽量化される。本体としてのカード状薄板１は、アクリル樹脂の３枚の透明な極薄板２，３，３からなり、これを重ねて一体化したもので、そのうちの中板２の一端部にその縁に沿って抜溝５を設けてあって、これを真ん中に３枚の極薄板２，３，３を重ねあわせながら、青色顔料を添加したアルコール等の液体７を封入して接着し、接着により抜溝５が密封されてなる帯状の埋蔵気泡管６が構成される（図１、図４）。また、気泡管６には、気泡８の位置を、つまり板の傾斜程度を識別しやすく目印２０が設けられている。
【００１３】
埋蔵気泡管６は、一般の工具としての水準器におけるパイプ材からなる露出した気泡管に相当するものであるが、全体的に重い工具とは違い、軽くカード状であるため重ねて仕舞うのにまとめやすく、携帯しやすく、また、銜えやすい。カード状の維持のため肉厚内に気泡管６を構成した点で工具との違いが大きい。気泡８を視覚しやすくできるだけ幅広く埋蔵気泡管６を構成できる点でも違いがある。
【００１４】
埋蔵気泡管６の手前としての後端部は、該部もカード形状の維持のため偏平のまま銜え部９として形成されている。銜え部９と埋蔵気泡管６との間に、銜えながら気泡管６を視覚できる距離を有する。この面が広告宣伝用の記載（図示省略）の個所となっている。
【００１５】
図５は、ゴルフのスイングの練習において、自己姿勢のバランス検出計Ｐを口に銜えて基本姿勢としてのスタンスの体勢をとった状態を示したもので、検出計Pが水平になるようにして顔がほゞ垂直に保たれ、中心軸を正しく捉えている。つまり、気泡８がほゞ中央に位置することを確認しながら、スタンス体勢を取って、正確にスイング動作に入ろうとしている。
【符号の説明】
【００１６】
P  自己姿勢のバランス検出計
１  カード状薄板
６  埋蔵気泡管
７  液体
８  気泡
９  銜え部
【図１】
0003197224.tif 000003
【図２】
0003197224.tif 000004
【図３】
0003197224.tif 000005
【図４】
0003197224.tif 000006
【図５】
0003197224.tif 000007